(57)【要約】【課題】ストッパ部材が回転しにくいロック装置を提供することを課題とする。【解決手段】  ストライカ１５３が進入可能な溝１５１ａが形成されたベースプレート１５１と、ベースプレート１５１に設けられ、溝１５１ａに進入してきたストライカ１５３が当接可能なストッパ部材３０１と、を有し、ベースプレート１５１は、溝１５１ａが形成されたベースプレート本体部１５１ｍと、ベースプレート本体部１５１ｍに一体的に形成された挟み部１５１ｎとを具備し、ストッパ部材３０１は、挟み部１５１ｎと、ベースプレート本体部１５１ｍとで挟まれている。【選択図】図１
2015105509.tif 000002
【特許請求の範囲】
【請求項１】
ストライカが進入可能なベースプレート溝が形成されたベースプレートと、
該ベースプレート上に設けられ、ストライカが進入可能なフック溝が形成され、前記ストライカが前記フック溝に進入可能なアンロック位置から前記ストライカの前記フック溝からの離脱を禁止するロック位置まで回転可能で、前記アンロック位置方向に付勢されたフックと、
前記ベースプレート上に回転可能に設けられ、前記ロック位置に位置する前記フックに係合することにより前記フックのアンロック方向への回転を禁止し、前記フックに係合する方向に付勢されたポールと、
前記ベースプレートに設けられ、前記ベースプレート溝に進入してきた前記ストライカが当接可能なストッパ部材と、
を有し、
前記ベースプレートは、前記ベースプレート溝が形成されたベースプレート本体と、該ベースプレート本体に一体的に形成された挟み部とを具備し、
前記ストッパ部材は、前記挟み部と、前記ベースプレート本体とで挟まれていることを特徴とするロック装置。
【請求項２】
前記ストッパ部材の前記挟み部との対向面には、第１凸部が形成されていることを特徴とする請求項１記載のロック装置。
【請求項３】
前記挟み部は、
前記ベースプレートのベースプレート本体部から立ち上がり、前記ストライカの進入方向で前記ストッパ部材が当接可能な立壁部と、
該立壁部の先端部から折曲され、前記ベースプレート本体部と協同して前記ストッパ部材を挟む挟み部本体とからなることを特徴とする請求項１または２記載のロック装置。
【請求項４】
前記ベースプレート本体部には、穴が形成され、
前記ストッパ部材には、前記穴の内壁面に当接可能な第２凸部が形成されていることを特徴とする請求項１乃至３のいずれか記載のロック装置。
【請求項５】
前記ベースプレート本体には、前記ストッパ部材の前記ストライカ進入方向に沿った面が当接可能な壁が形成されていることを特徴とする請求項１乃至４のいずれか記載のロック装置。
【発明の詳細な説明】
【技術分野】
【０００１】
本発明は、開閉するドアの閉状態のドアを固定したり、可動シートを固定したりする車両用のロック装置に関する。
【背景技術】
【０００２】
一般に、車両に設けられるロック装置は、ストライカとストライカに係脱するロック装置本体とからなる。
ドアに設けられるロック装置では、ボデー側にストライカが設けられ、ドア側にロック装置本体が設けられる。シートに設けられるロック装置では、ボデー側にストライカが設けられ、シート側にロック装置本体が設けられる。
【０００３】
ロック装置本体は、ストライカが進入可能なベースプレート溝が形成されたベースプレートを有している。このベースプレートには、ベースプレート溝を挟んで、フックとポートとが設けられる。
【０００４】
フックは、ストライカが進入可能なフック溝が形成され、ストライカがフック溝に進入可能なアンロック位置からストライカのフック溝からの離脱を禁止するロック位置まで回転可能である。更に、このフックは、アンロック位置方向に付勢されている。
【０００５】
ポールは、ベースプレートに回転可能に設けられ、ロック位置に位置するフックに係合することによりフックのアンロック位置方向の回転を禁止する。更に、このポールは、フックに係合する方向に付勢されている。
【０００６】
更に、ベースプレートには、ベースプレート溝に進入してきたストライカが当接するストッパ部材が設けられている。
このストッパ部材は、ストライカがベースプレート溝の底に衝突する前に、ストライカが当接して弾性変形し、その弾性反発力によりストライカをフックのフック溝の壁面に押しつける。
【０００７】
ストライカがベースプレート溝の底に衝突する前に、ストライカが当接して弾性変形することにより、ストライカがベースプレート溝の底に衝突して異音が発生するのを防止する。また、ストッパ部材の弾性反発力によりストライカとフックのフック溝の壁面とを押しつけられることにより、ストライカとフック溝の壁面とが衝突して異音が発生するのを防止する（例えば、特許文献１参照）。
【先行技術文献】
【特許文献】
【０００８】
【特許文献１】特開２００４−０３４７６８号公報
【発明の概要】
【発明が解決しようとする課題】
【０００９】
しかし、特許文献１に記載されたストッパ部材は、ベースプレート、ストッパ部材のうちどちらか一方に凸部を、他方に凸部が嵌合する凹部を形成することにより取り付けられている。
【００１０】
このため、ストライカがストッパ部材に当たると、ストッパ部材が回転する問題点がある。
ストッパ部材が回転すると、ストライカがベースプレート溝の底に衝突して異音が発生することがある。また、ストッパ部材が回転することにより、ストッパ部材の弾性反発力が不足し、ストライカとフック溝の壁面との押しつけが不十分になったり、ストライカとフック溝の壁面との間に隙間が発生したりして、ストライカとフック溝の壁面とが衝突して異音が発生することもある。
【００１１】
本発明は、上記問題点に鑑みてなされたもので、その課題は、ストッパ部材が回転しにくいロック装置を提供することにある。
【課題を解決するための手段】
【００１２】
上述した課題のうち少なくとも一つを実現するために、本発明の一側面を反映したロック装置は、ストライカが進入可能なベースプレート溝が形成されたベースプレートと、該ベースプレート上に設けられ、ストライカが進入可能なフック溝が形成され、前記ストライカが前記フック溝に進入可能なアンロック位置から前記ストライカの前記フック溝からの離脱を禁止するロック位置まで回転可能で、前記アンロック位置方向に付勢されたフックと、前記ベースプレート上に回転可能に設けられ、前記ロック位置に位置する前記フックに係合することにより前記フックのアンロック方向への回転を禁止し、前記フックに係合する方向に付勢されたポールと、前記ベースプレートに設けられ、前記ベースプレート溝に進入してきた前記ストライカが当接可能なストッパ部材と、を有し、前記ベースプレートは、前記ベースプレート溝が形成されたベースプレート本体と、該ベースプレート本体に一体的に形成された挟み部とを具備し、前記ストッパ部材は、前記挟み部と、前記ベースプレート本体とで挟まれていることを特徴とする。
【００１３】
本発明の他の特徴は、以下に述べる発明を実施するための形態並びに添付の図面から一層明らかになるであろう。
【発明の効果】
【００１４】
本発明によれば、前記ベースプレートは、前記ベースプレート溝が形成されたベースプレート本体と、該ベースプレート本体に一体的に形成された挟み部とでなり、前記ストッパ部材は、前記挟み部と、前記ベースプレート本体とで挟まれていることにより、ストッパ部材と、ベースプレート本体，挟み部との間に発生する摩擦力により、ストッパ部材は回転しにくくなる。
【００１５】
よって、ストライカがベースプレート溝の底に衝突して異音が発生することがなくなる。また、ストッパ部材が回転しにくいので、ストッパ部材の弾性反発力が不足し、ストライカとフック溝の壁面との押しつけが不十分になったり、ストライカとフック溝の壁面との間に隙間が発生したりして、ストライカとフック溝の壁面とが衝突して異音が発生することがなくなる。
【００１６】
本発明の他の効果は、以下に述べる発明を実施するための形態並びに添付の図面から一層明らかになるであろう。
【図面の簡単な説明】
【００１７】
【図１】実施形態のロック装置の分解斜視図である。
【図２】図１に示すロック装置を組み付けた時の矢印II方向から見た平面図でロック状態を示す図である。
【図３】図２に示すロック装置の背面図である。
【図４】図２の切断線IV-IVでの切断部端面図である。
【図５】図２の切断線V-Vでの切断部端面図である。
【図６】図２に示すロック装置のアンロック状態を示す図である。
【図７】図３に示すロック装置のアンロック状態を示す図である。
【図８】図１に示すストッパ部材の正面図である。
【図９】図８の背面図である。
【図１０】図８の左側面図である。
【発明を実施するための形態】
【００１８】
図面を用いて本発明の実施形態を説明する。図１は実施形態のロック装置の分解斜視図、図２は図１に示すロック装置を組み付けた時の矢印II方向から見た平面図でロック装置のロック状態を示す図、図３は図２に示すロック装置の背面図、図４は図２の切断線IV-IVでの切断部端面図、図５は図２の切断線V-Vでの切断部端面図、図６は図２に示すロック装置のアンロック状態を示す図、図７は図３に示すロック装置のアンロック状態を示す図、図８は図１に示すストッパ部材の正面図、図９は図８の背面図、図１０は図８の左側面図である。
【００１９】
最初に、図１−図５を用いて、本実施形態のロック装置の構成を説明する。これらの図おいて、移動側（例えば、フロアに対して回転可能に設けられたシート、ドア、トランクリッド、エンジンフッド等）固定側（ボデー側）のうちのどちらか一方に設けられたベースプレート１５１には、移動側、固定側のうちの他方に設けられたストライカ１５３が進入可能な溝（ベースプレート溝）１５１ａが形成されている。
【００２０】
本実施形態のベースプレート１５１は、溝１５１ａが形成されたベースプレート本体部１５１ｍと、ベースプレート本体部１５１ｍと一体的に形成された挟み部１５１ｎ（詳細は後述する）とからなっている。
【００２１】
ベースプレート本体部１５１ｍの溝１５１ａを挟んで一方の側には、フック１５７が配置されている。フック１５７には貫通した穴１５７ｈが形成され、ベースプレート１５１にも貫通した穴１５１ｈが形成されている。この穴１５１ｈの径は、フック１５７の穴１５７ｈの径と略同じに設定されている。
【００２２】
ベースプレート本体部１５１ｍの一方の面側には、ブッシュ１４５が設けられる。このブッシュ１４５は、フック１５７の穴１５７ｈ、ベースプレート本体部１５１ｍの穴１５１ｈの順に挿入される円筒部１４５ａと、円筒部１４５ａの基部に形成され、フック１５７の穴１５７ｈの周縁部に当接する取付部１４５ｂとからなっている。円筒部１４５ａの外径は、フック１５７の穴１５７ｈの径、ベースプレート本体部１５１ｍの穴１５１ｈの径より若干小さくなるように設定されている。ベースプレート本体部１５１ｍの穴１５１ｈを挿通し、ベースプレート本体部１５１ｍの他方の面側に突出した円筒部１４５ａはかしめられている。このため、フック１５７はベースプレート本体部１５１ｍに対して回転可能となっている。
【００２３】
そして、本実施形態では、図２に示すフック１５７の位置をロック位置、図６に示すフック１５７の位置をアンロック位置という。
ベースプレート本体部１５１ｍの溝１５１ａを挟んで他方の側には、ポール１６１が配置されている。ポール１６１には貫通した穴１６１ｈが形成され、ベースプレート本体部１５１ｍにも貫通した穴１５１ｉが形成されている。この穴１５１ｉの径は、ポール１６１の穴１６１ｈの径と略同じに設定されている。
【００２４】
ベースプレート本体部１５１ｍの一方の面側には、ブッシュ１４７が設けられる。ブッシュ１４７は、ポール１６１の穴１６１ｈ、ベースプレート本体部１５１ｍの穴１５１ｉの順に挿入される円筒部１４７ａと、円筒部１４７ａの基部に形成され、ポール１６１の穴１６１ｈの周縁部に当接する取付部１４７ｂとからなっている。円筒部１４７ａの外径は、ポール１６１の穴１６１ｈの径、ベースプレート本体部１５１ｍの穴１５１ｉの径より若干小さくなるように設定されている。ベースプレート本体部１５１ｍの穴１５１ｉを挿通し、ベースプレート本体部１５１ｍの他方の面側に突出した円筒部１４７ａの先端部はかしめられている。このため、ポール１６１はベースプレート本体部１５１ｍに対して回転可能となっている。
【００２５】
フック１５７には、ストライカ１５３が進入可能な溝（フック溝）１５７ａが形成されている。また、フック１５７の周部には、フック１５７のアンロック位置への回転方向に沿って、第１凸部１５７ｂ、第２凸部１５７ｃが形成され、第１凸部１５７ｂと第２凸部１５７ｃとの間には、凹部１５７ｄが形成されている。
【００２６】
ポール１６１のフック１５７と対向する面には、フック１５７の凹部１５７ｄに係脱可能な凸部１６１ａが形成されている。また、ポール１６１のフック１５７と対向する面には、フック１５７の第２凸部１５７ｃが進入可能な凹部１６１ｂが形成されている。
【００２７】
フック１５７とベースプレート本体部１５１ｍとの間には、中間部がブッシュ１４５の円筒部１４５ａを巻回し、外端部がフック１５７の突起１５７ｔに、内端部がベースプレート本体部１５１ｍの突起１５１ｔに係止されたスプリング２０１が配置されている。そして、フック１５７をアンロック位置方向（図１、２、３、６、７において矢印ＵＬ）に付勢している。
【００２８】
また、ポール１６１とベースプレート本体部１５１ｍとの間には、中間部がブッシュ１４７の円筒部１４７ａを巻回し、外端部がポール１６１の突起１６１ｘに、内端部がベースプレート本体部１５１ｍの突起１５１ｕに係止されたスプリング２０３が配置されている。そして、スプリング２０３はポール１６１をフック１５７に係合する方向（図１、２、３、６、７において、矢印Ｅ方向）に付勢している。
【００２９】
ロック位置にいるフック１５７の凹部１５７ｄにポール１６１の凸部１６１ａが係合することで、フック１５７のアンロック位置方向への移動を規制する。
尚、本実施形態のフック１５７は、芯金１５７ｍと、例えば押し出し成形法で芯金１５７ｍの表面に形成された樹脂１５７ｐとからなっている。
【００３０】
次に、ベースプレート本体部１５１ｍの他方の面側に配置されるストッパ部材３０１の説明を行う。
図１に示すように、ベースプレート本体部１５１ｍの他方の面には、凹部１５１ｓが形成され、この凹部１５１ｓの下方に、前述した溝（ベースプレート溝）１５１ａが形成されると共に、ストッパ部材３０１が配置される。尚、図１はベースプレート１５１の一方の面側が見える図なので、凹部１５１ｓは凸部として表されている。
【００３１】
図１、図８-図１０に示すように、ストッパ部材３０１は、凹部１５１ｓの底部（ベースプレート本体部１５１ｍ）に取り付けられる取付部３０１ａと、取付部３０１ａに連設され、凹部１５１ｓの下方に設けられた溝１５１ａ内に位置する部分を有し、溝１５１ａに進入してきたストライカ１５３が当接可能なストッパ部３０１ｂとからなっている。
【００３２】
このストッパ部材３０１はゴム等の弾性を有する材質でなっている。
取付部３０１ａのベースプレート１５１の凹部１５１ｓの底部に当接する面には、凹部１５１ｓの底部に形成された穴１５１ｋに挿入される凸部（第２凸部）３０１ｃが形成されている。本実施形態の凸部３０１ｃは円柱状で、その周面は穴１５１ｋの内壁面に当接可能となっている。
【００３３】
取付部３０１ａの凹部１５１ｓの底部と当接する面と反対側の面には、凸部（第１凸部）３０１ｄが形成される。本実施形態の凸部３０１ｄは、矩形環状をなし、後述する挟み部１５１ｎが当接するようになっている。
【００３４】
図１、図４-図５を用いて、ストッパ部材３０１の取り付け構造を説明する。
挟み部１５１ｎは、ベースプレート１５１のベースプレート本体部１５１ｍから立ち上がり、ストライカ１５３の進入方向でストッパ部材３０１が当接可能な立壁部と、立壁部の先端部から折曲され、ベースプレート本体部１５１ｍと協同してストッパ部材３０１を挟む挟み部本体とからなる。
【００３５】
本実施形態では、ストライカ１５３の進入方向において、ベースプレート１５１の溝１５１ａの開口底部の上方には、ベースプレート１５１の他方の面側に折曲され、ベースプレート本体部１５１ｍから立ち上がる立壁部１５１ｗが形成されている。この立壁部１５１ｗの先端部には、挟み部本体部１５１ｊが形成されている。よって、この立壁部１５１ｗは、ストライカ１５３の進入方向でストッパ部材３０１の上面（ストライカ１５３の進入方向おいて、ストッパ部３０１ｂの反対側の面）が当接可能な立壁部として機能する（図４）。
【００３６】
挟み部本体部１５１ｊは、図１において、立壁部１５１ｗからベースプレート１５１の他方の面と平行になるような方向（矢印Ｏ方向）に折曲され、図４に示すように凹部１５１ｓに配置されたストッパ部材３０１の取付部３０１ａの凸部（第１凸部）３０１ｄに当接している。よって、挟み部本体部１５１ｊは、ベースプレート本体部１５１ｍと協同してストッパ部材３０１を挟むことにより、ストッパ部材３０１はベースプレート１５１に設けられている。
【００３７】
更に、図１、図５に示すように、ベースプレート本体部１５１ｍの凹部１５１ｓのストライカ１５３の進入方向に沿った面（凹部１５１ｓの内側面）１５１ｏ、１５１ｐは、ストッパ部材３０１のストライカ進入方向に沿った面のうち、ベースプレート本体部１５１ｍの凹部１５１ｓ内に進入した面３０１ｏ、３０１ｐ（図５，図８-図１０参照）が当接可能な壁となっている。
【００３８】
次に、上記構成の作動を説明する。
（アンロック状態からロック状態にする場合）
図６、図７に示すアンロック状態にある場合、スプリング２０１の付勢力により、アンロック方向に付勢されたフック１５７のストッパ（図示せず）がベースプレート本体部１５１ｍに設けられたストッパ（図示せず）と当接し、さらにフック１５７の第１凸部１５７ｂが、スプリング２０３の付勢力によりフック１５７に係合する方向に付勢されたポール１６１の下部に当接している。このため、フック１５７のそれ以上のアンロック方向の回転移動、ポール１６１のフック１５７に係合する方向の回転移動が禁止されている。
【００３９】
ストライカ１５３でフック１５７の溝１５７ａの開口部近傍の面１５７ｎを押すと、フック１５７はスプリング２０１の付勢力に抗してロック位置方向へ回転する。
フック１５７がロック位置まで回転すると、図２、図３に示すように、フック１５７の凹部１５７ｄと、ポール１６１の凸部１６１ａとが係合し、フック１５７のアンロック方向への回転が禁止され、ストライカ１５３はフック１５７の溝１５７ａから離脱できない状態でロック状態となる。このとき、図２、図３に示すように、ストライカ１５３は、ストッパ部材３０１のストッパ部３０１ｂと当接して、ストライカ１５３はストッパ部０３１ｂとフック１５７の溝１５７ａとに挟まれた状態となる。
（ロック状態からアンロック状態にする場合）
図２、図３に示すロック状態において、ロック解除するには、スプリング２０３の付勢力に抗して、ポール１６１を反矢印Ｅ方向に回転させる。すると、ポール１６１はフック１５７から離れ、フック１５７の凹部１５７ｄと、ポール１６１の凸部１６１ａとの係合が解除され、フック１５７はスプリング２０１の付勢力により、アンロック位置方向に回転し、図６、図７に示すようなストライカ１５３はフック１５７の溝１５７ａから離脱できるアンロック状態となる。
【００４０】
上記構成によれば、以下のような効果が得られる。
(1) ストッパ部材３０１は、挟み部１５１ｎの挟み部本体部１５１ｊと、ベースプレート本体部１５１ｍの凹部１５１ｓとで挟まれていることにより、ストッパ部材３０１と、ベースプレート本体部１５１ｍの凹部１５１ｓ，挟み部１５１ｎの挟み部本体部１５１ｊとの間に発生する摩擦力により、ストッパ部材３０１は回転しにくくなる。
【００４１】
よって、ストライカ１５３がベースプレート１５１の溝１５１ａの底に衝突して異音が発生することがなくなる。また、ストッパ部材３０１が回転しにくいので、ストッパ部材３０１の弾性反発力が不足し、ストライカ１５３とフック１５７の溝１５７ａの壁面との押しつけが不十分になったり、ストライカ１５３とフック１５７の溝１５７ａの壁面との間に隙間が発生したりして、ストライカ１５３とフック１５７の溝１５７ａの壁面とが衝突して異音が発生することがなくなる。
【００４２】
(2) ストッパ部材３０１の取付部３０１ａに、挟み部１５１ｎの挟み部本体１５１ｊが当接する凸部（第１凸部）３０１ｄを形成したことにより、凸部３０１ｄの形状（高さ、挟み部１５１ｎの挟み部本体１５１ｊとの当接面積）を変えることにより、ストッパ部材３０１と、ベースプレート本体部１５１ｍの凹部１５１ｓ，挟み部１５１ｎの挟み部本体部１５１ｊとの間に発生する摩擦力を調整でき、ストッパ部材３０１の適切な弾性反発力を実現しつつ、ストッパ部材３０１は回転しにくくなる。
【００４３】
(3) 挟み部１５１ｎは、ストライカ１５３の進入方向でストッパ部材３０１が当接可能な立壁部１５１ｗを有している。よって、ストッパ部材３０１の上面（ストライカ１５３の進入方向おいて、ストッパ部３０１ｂの反対側の面）が立壁部１５１ｗと当接することで、ストッパ部材３０１は回転しにくくなる。
【００４４】
(4) 取付部３０１ａのベースプレート１５１の凹部１５１ｓの底部に当接する面には、凹部１５１ｓの底部に形成された穴１５１ｋに挿入され、穴１５１ｋの内壁面に当接可能な凸部（第２凸部）３０１ｃを形成したことにより、凸部（第２凸部）３０１ｃが穴１５１ｋの内壁面に当接することで、ストッパ部材３０１は回転しにくくなる。
【００４５】
(5) ベースプレート本体部１５１ｍの凹部１５１ｓのストライカ進入方向に沿った面１５１ｏ、１５１ｐは、ストッパ部材３０１のストライカ進入方向に沿った面のうち、ベースプレート本体部１５１ｍと交差する面３０１ｏ、３０１ｐが当接可能な壁となっている。
【００４６】
よって、ストッパ部材３０１の面３０１ｏ、３０１ｐがベースプレート１５１の壁１５１ｏ、１５１pと当接することで、ストッパ部材３０１は回転しにくくなる。
(1)〜(5)に述べたように、ストッパ部材３０１は回転しにくくなる。
【００４７】
よって、ストライカ１５３がベースプレート１５１の溝１５１ａの底に衝突して異音が発生することがなくなる。また、ストッパ部材３０１が回転しにくいので、ストッパ部材３０１の弾性反発力が不足し、ストライカ１５３とフック１５７の溝１５７ａの壁面との押しつけが不十分になったり、ストライカ１５３とフック１５７の溝１５７ａの壁面との間に隙間が発生したりして、ストライカ１５３とフック１５７の溝１５７ａの壁面とが衝突して異音が発生することがなくなる。
【００４８】
尚、本発明は、上記実施形態に限定するものではない。以下のような変形例であてもよい。
(1) 挟み部１５１ｎは、ベースプレート１５１の端部からではなく、ベースプレート本体部１５１ｍ内部からの切り起こしでもよい。
【００４９】
(2) ストッパ部材３０１の第１凸部３０１ｄは、矩形環状ではなく、中実（内部が埋まった）形状でもよい。また、矩形ではなく円形でもよい。
(3) ストッパ部材３０１の第２凸部３０１ｃは円柱状ではなく、四角柱状でもよい。
【００５０】
(4) ベースプレート１５１の凹部１５１ｓに設けられた壁１５１ｏ、１５１ｐはどちらか１つでもよい。
【符号の説明】
【００５１】
１５１  ベースプレート
１５１ａ  溝（ベースプレート溝）
１５１ｍ  ベースプレート本体
１５１ｎ  挟み部
３０１  ストッパ部材
【図１】
2015105509.tif 000003
【図２】
2015105509.tif 000004
【図３】
2015105509.tif 000005
【図４】
2015105509.tif 000006
【図５】
2015105509.tif 000007
【図６】
2015105509.tif 000008
【図７】
2015105509.tif 000009
【図８】
2015105509.tif 000010
【図９】
2015105509.tif 000011
【図１０】
2015105509.tif 000012